(57)【要約】【課題】新品の錠剤シートのように模擬的に錠剤収容部が欠損している錠剤シートの形状を回復させること。【解決手段】１または複数の錠剤収容部が欠損している錠剤シートに取り付ける部品が、欠損している錠剤シートの表面積を拡張させ、錠剤シート搬送装置において欠損している錠剤シートを適正搬送させる面積補充部を備える。 【選択図】  図１６
2014073160.tif 000002
【特許請求の範囲】
【請求項１】
１または複数の錠剤収容部が欠損している錠剤シートに取り付ける部品であって、
前記欠損している錠剤シートの表面積を拡張させ、錠剤シート搬送装置において前記欠損している錠剤シートを適正搬送させる面積補充部を備えることを特徴とする部品。
【請求項２】
前記面積補充部は、少なくとも前記錠剤シート搬送装置において適正搬送可能な長さを復元するべく、前記錠剤シート搬送装置において錠剤シートが搬送される進行方向に前記表面積を拡張させる第１拡張部を含むことを特徴とする請求項１に記載の部品。
【請求項３】
前記面積補充部は、少なくとも錠剤収容部が欠損していない錠剤シートの長さを復元するべく、前記錠剤シート搬送装置において錠剤シートが搬送される進行方向に前記表面積を拡張させる第１拡張部を含むことを特徴とする請求項１または請求項２に記載の部品。
【請求項４】
前記面積補充部は、少なくとも前記錠剤シート搬送装置において適正搬送可能な幅を復元するべく、前記錠剤シート搬送装置において錠剤シートが搬送される幅方向に前記表面積を拡張させる第２拡張部を含むことを特徴とする請求項１乃至請求項３のいずれか１項に部品。
【請求項５】
前記面積補充部は、少なくとも錠剤収容部が欠損していない錠剤シートの幅を復元するべく、前記錠剤シート搬送装置において錠剤シートが搬送される幅方向に前記表面積を拡張させる第２拡張部を含むことを特徴とする請求項１乃至請求項４のいずれか１項に部品。
【請求項６】
前記面積補充部は、前記欠損している錠剤シートを接着する接着部をさらに含むことを特徴とする請求項１乃至請求項５のいずれか１項に記載の部品。
【請求項７】
複数の前記面積補充部が含む接着部を用いて前記欠損している錠剤シートを両面から挟むことを特徴とする請求項６に記載の部品。
【請求項８】
前記第２拡張部が、前記欠損している錠剤シートの錠剤収容部に連結し、錠剤収容部がない端部の代替として機能することを特徴とする請求項４または請求項５に記載の部品。
【請求項９】
請求項１乃至請求項８のいずれか１項に記載の前記部品に前記欠損している錠剤シートを取り付けて搬送することを特徴とする錠剤シート搬送装置。
【請求項１０】
請求項１乃至請求項８のいずれか１項に記載の前記部品に前記欠損している錠剤シートを取り付けて搬送することを特徴とする錠剤シート搬送方法。
【発明の詳細な説明】
【技術分野】
【０００１】
部品および錠剤シート搬送装置、錠剤シート搬送方法に関する。
【背景技術】
【０００２】
従来、調剤業務において、ＰＴＰシートの錠剤は使用枚数の管理が重要であるため一枚単位で薬剤師により使用されるが、特許文献１には一枚毎にＰＴＰシートを高速搬送するPTPカセットが開示されている。
【先行技術文献】
【特許文献】
【０００３】
【特許文献１】特開２０１２−１４７８１３号公報
【発明の概要】
【発明が解決しようとする課題】
【０００４】
特許文献１では、新品の錠剤シートを搬送して、錠剤収容部が一部欠損している錠剤シートも搬送させたい場合には搬送ミス等により適切に機械搬送されず、錠剤収容部が欠損している錠剤シートを正常に搬送させることが困難であり使用できないという問題が生じる。
本発明は新品の錠剤シートのように模擬的に錠剤収容部が欠損している錠剤シートの形状を回復させることができる仕組みを提供することを目的とする。
【課題を解決するための手段】
【０００５】
本発明は、１または複数の錠剤収容部が欠損している錠剤シートに取り付ける部品であって、前記欠損している錠剤シートの表面積を拡張させ、錠剤シート搬送装置において前記欠損している錠剤シートを適正搬送させる面積補充部を備えることを特徴とする。
【０００６】
また、前記面積補充部は、少なくとも前記錠剤シート搬送装置において適正搬送可能な長さを復元するべく、前記錠剤シート搬送装置において錠剤シートが搬送される進行方向に前記表面積を拡張させる第１拡張部を含むことを特徴とする。
【０００７】
また、前記面積補充部は、少なくとも錠剤収容部が欠損していない錠剤シートの長さを復元するべく、前記錠剤シート搬送装置において錠剤シートが搬送される進行方向に前記表面積を拡張させる第１拡張部を含むことを特徴とする。
【０００８】
また、前記面積補充部は、少なくとも前記錠剤シート搬送装置において適正搬送可能な幅を復元するべく、前記錠剤シート搬送装置において錠剤シートが搬送される幅方向に前記表面積を拡張させる第２拡張部を含むことを特徴とする。
【０００９】
また、前記面積補充部は、少なくとも錠剤収容部が欠損していない錠剤シートの幅を復元するべく、前記錠剤シート搬送装置において錠剤シートが搬送される幅方向に前記表面積を拡張させる第２拡張部を含むことを特徴とする。
また、前記面積補充部は、前記欠損している錠剤シートを接着する接着部をさらに含むことを特徴とする。
また、複数の前記面積補充部が含む接着部を用いて前記欠損している錠剤シートを両面から挟むことを特徴とする。
また、前記第２拡張部が、前記欠損している錠剤シートの錠剤収容部に連結し、錠剤収容部がない端部の代替として機能することを特徴とする。
【発明の効果】
【００１０】
本発明により、新品の錠剤シートのように模擬的に錠剤収容部が欠損している錠剤シートの形状を回復させることができる仕組みを提供することが可能となる。
【図面の簡単な説明】
【００１１】
【図１】薬剤包装システムの外観を示す図。
【図２】錠剤供給装置の外観を示す図。
【図３】錠剤取出ユニットの内部構造を示す図。
【図４】錠剤取出ユニットの内部構造を示す図。
【図５】錠剤供給装置の内部構造を示す図。
【図６】錠剤供給ユニットの内部構造を示す図。
【図７】薬剤包装ユニットの内部構造を示す図。
【図８】薬剤包装ユニットの内部構造を示す図。
【図９】未使用のＰＴＰシートを示す図。
【図１０】横型に端数が残った使用済みのＰＴＰシートを示す図。
【図１１】縦型に端数が残った使用済みのＰＴＰシートを示す図。
【図１２】凸型に端数が残った使用済みのＰＴＰシートを示す図。
【図１３】アタッチメントの外観を示す図。
【図１４】アタッチメントの内部（未使用時）を示す図。
【図１５】アタッチメントの内部（未使用時）を示す図。
【図１６】アタッチメントの外観（端数シート装着時）を示す図。
【図１７】縦型をアタッチメントに装着した場合を示す図。
【図１８】縦型と縦型とを合わせてアタッチメントに装着した場合を示す図。
【図１９】単錠と横型とを合わせてアタッチメントに装着した場合を示す図。
【図２０】単錠と凸型とを合わせてアタッチメントに装着した場合を示す図。
【図２１】未使用のＰＴＰシート搬送時の錠剤取出ユニットの内部構造を示す図。
【図２２】縦型に端数が残った使用済みのＰＴＰシート搬送時の錠剤取出ユニットの内部構造を示す図。
【図２３】横型に端数が残った使用済みのＰＴＰシート搬送時の錠剤取出ユニットの内部構造を示す図。
【図２４】内側押圧体によるＰＴＰシートの除包動作を拡大した図。
【発明を実施するための形態】
【００１２】
図１を説明する。
図１は、薬剤包装装置５と錠剤供給装置１０を示す図である。
錠剤供給装置１０及び錠剤供給装置１０から供給された錠剤を包装する薬剤包装装置５とで構成されている薬剤包装システムである。
【００１３】
錠剤供給システムは、複数の錠剤をそれぞれ錠剤収容部５２に封入した錠剤シート５１から錠剤５０を取り出して、取り出された錠剤を包装する薬剤包装装置５に供給する。
１は錠剤取出ユニットであり、錠剤シートから錠剤を取り出すユニットである。
【００１４】
錠剤供給装置には複数の錠剤取出ユニット１が収納されている。錠剤取出ユニットは、幅方向（左右方向）に６つが並べられ、この６つの錠剤取出ユニットからなる組が上下に３段に配置されている。すなわち、錠剤取出ユニット１は、左右６列、上下３段に配列されている。
錠剤供給装置１０は複数の錠剤取出ユニット１を備えているが、錠剤取出ユニット１の数は１でもよい。
５は包装装置であり、錠剤供給装置１０の錠剤取出ユニット１から供給された錠剤を包装する装置である。
【００１５】
１０は錠剤供給装置であり、錠剤取出ユニット１により錠剤シートから錠剤を取り出して供給する。錠剤供給装置１０は複数の錠剤取出ユニット１を備えている。
錠剤供給装置１０は、複数の錠剤をそれぞれ錠剤収容部に封入した錠剤シートから錠剤を取り出して供給する。
錠剤供給装置１０は、１または複数の錠剤取出しユニット１と、錠剤取出ユニット１で取り出された錠剤を供給する供給ユニットとを備えている。
【００１６】
１０３は錠剤供給装置１０を使用せずに薬剤包装装置５側で錠剤を包装したい場合に人の手によって錠剤が錠剤をセットされる部分である。錠剤供給装置１０からの錠剤と手撒き錠剤部からの錠剤を混合して１包にまとめることができる。
１０４はＬＣＤ操作パネルである。作業者による包装数等の入力や、スタートボタンにより包装動作の開始指示を受け付ける部分である。
２は、薬剤包装装置５及び錠剤供給装置１０と制御コンピュータ３とが通信する為の通信ケーブルである。
３は、薬剤包装装置５及び錠剤供給装置１０と通信する制御コンピュータである。
４は、制御コンピュータと通信する外部機器（調剤コントローラ）である。
図２を説明する。
図２は、錠剤供給装置１０を示す図である。
尚、錠剤供給装置１０を前面側から見た図である。
２０３は半端な数の錠剤が残っていない新品の錠剤シートの投入口である。
図３を説明する。
図３は、錠剤取出ユニット１の内部構造を示す図である。
尚、錠剤取出ユニット１を前面側から見た図である。
【００１７】
錠剤取出ユニット１は、錠剤シートを搬送する搬送機構と、搬送機構により搬送された錠剤シートが載置される載置台と、載置台上の錠剤シートの錠剤収容部を押圧して錠剤を取り出す押出し機構とを有している。
５１は半端な数の錠剤が残っていない新品の錠剤シートである。
【００１８】
錠剤シートは、錠剤を収容する錠剤収容部を有するシート本体の下面に、アルミニウム等からなる金属箔などを用いた封止シートを設けることによって錠剤を錠剤収容部に密封したものである。錠剤シートは、シート部上に凸状の錠剤収容部が幅方向に間隔をおいて２列に並んだ形態である。各列をなす複数の錠剤収容部は錠剤シートの長さ方向に沿って並んでいる。
【００１９】
なお、錠剤シートとしては、シート部上に錠剤収容部が２列に並んだ形態のものに限らず、錠剤収容部が錠剤シートの長さ方向に１列に並んだ形態や、錠剤収容部が幅方向に間隔をおいて３列以上の複数列に並んだ形態も可能である。
図４を説明する。
図４は、錠剤取出ユニット１の内部構造（断面）を示す図である。
錠剤シート投入口へシートをセットし、ＰＴＰシートを除包位置（錠剤の取出位置）まで搬送を行った際の図である。
【００２０】
錠剤取出ユニット１は、錠剤シートを搬送する錠剤シート搬送機構（搬送機構）と、錠剤シートが載置される載置台１８と、半端な数の錠剤が残っていない新品の錠剤シートから錠剤を取り出す錠剤取出機構（押出し機構）とを備えている。
３９は下部ローラである。
【００２１】
錠剤シート搬送機構は、錠剤シートを進行方向に向け搬送するものであって、進行方向に互いに間隔をおいて設けられた下部ローラと、進行方向に互いに間隔をおいて設けられた上部ローラとを備えている。
【００２２】
搬送機構３９は、錠剤収容部の押圧を継続するまえに載置台上の押圧される位置から所定の距離だけ錠剤シートをさらに搬送し、押出し機構が、錠剤収容部の押圧を継続（リトライ）する。
下部ローラは駆動源により回転駆動可能であり、シート部の下面に当接して錠剤シートに進行方法への力を加えることができる。
上部ローラは、駆動源により回転駆動可能であり、シート部の上面に当接して錠剤シートに進行方向への力を加えることができる。
上部ローラの幅方向の位置は、２列の錠剤収容部の間に相当する位置であるため、上部ローラは錠剤収容部５２に当接することはない。
【００２３】
下部ローラと上部ローラはシート部を上下から挟み込んで錠剤シートを進行方向に搬送できる。さらに下部ローラと上部ローラはシート部を上下から挟み込んで錠剤シート５１を進行方向とは逆の方向にも搬送できる。
２４は導入シュートである。
導入シュート２４により半端な数の錠剤が残っていない新品の錠剤シートから押出し機構により取り出された錠剤が供給される（シート錠剤供給機構）。
導出シュート２４は、排出口３０に落とし込まれた錠剤を導くものであって、排出口３０を含む大きさの上部開口を有し、載置台の下面側に設けられている。
錠剤取出しユニットは、載置台上の錠剤シートの錠剤収容部を押圧する速度を変更させる変更機構をさらに有している。
押出し機構は、より高速に変更された速度で錠剤収容部の押圧を継続（リトライ）する。
押出し機構は、錠剤収容部の中央付近を押圧する内側押圧体８３と、中央付近よりも外側の部分を押圧する外側押圧体８４とを含んでいる。
内側押圧体と外側押圧体とが独立して動作することで錠剤収容部を押圧して錠剤を取り出す。
押出し機構は、内側押圧体よりも先に外側押圧体により錠剤収容部を押圧させる。
【００２４】
８３は内側押圧体である。内側押圧体の先端は、ほとんどの錠剤シートの錠剤収容部よりも面積が狭いので、内側押圧体は錠剤を取り出す場合（下降した場合）に、錠剤シートに開いた穴から先端が突き出る。
【００２５】
８４は外側押圧体である。外側押圧体の先端は、ほとんどの錠剤シートの錠剤収容部よりも面積が広いので、錠剤を取り出す場合（下降した場合）に、錠剤シートに開いた穴から先端が突き出ない。つまり錠剤シートの錠剤収容部を押し潰すためのものである。
錠剤取出機構（押出し機構）は、外側押圧体を昇降させる第１昇降機構と、内側押圧体を昇降させる第２昇降機構とを有する。
【００２６】
第１昇降機構は、外側押圧体が取り付けられた第１昇降体と、回転駆動して第１昇降体を昇降させるカムと、第１昇降体を上昇方向に付勢する付勢部材（ばね）とを備えている。
【００２７】
第１昇降体は、前後方向にわたって延在する柱状体であり、前端部に外側押圧体が取り付けられている。カムは、外側押圧体の昇降動作を考慮して設計された形状の板状体であり、図示せぬ駆動機構によって回転駆動する軸部に固定されている。カムは、第１昇降体の上面側に設けられ、軸部の回転に伴って回転駆動し、第１昇降体を押圧することによって高さ位置を調整し、これによって外側押圧体の高さ位置を調整することができる。第１昇降機構は、カムの回転動作のタイミング、カムの形状、軸部に対するカムの固定位置などの設定によって、外側押圧体の昇降動作のタイミングや変位量を任意に設定できる。
【００２８】
第２昇降機構は、内側押圧体が取り付けられた第２昇降体と、回転駆動して第２昇降体を昇降させるカムと、第２昇降体を上昇方向に付勢する付勢部材（ばね）とを備えている。
【００２９】
第２昇降体は、前後方向にわたって延在する柱状体であり、前端部に内側押圧体が取り付けられている。カムは、第２昇降体の上面側に設けられ、軸部の回転に伴って回転駆動し、第２昇降体を押圧して高さ位置を調整し、これによって内側押圧体の高さ位置を調整することができる。第２昇降機構は、カムの回転動作のタイミング、カムの形状、軸部に対するカムの固定位置などの設定によって、内側押圧体の昇降動作のタイミングや変位量を任意に設定できる。
【００３０】
このため、カム９４とカム９９は、それぞれ第１昇降体と第２昇降体に対して互いに独立に動作可能であり、内側押圧体と外側押圧体は、互いに独立に昇降動作させることができる。
【００３１】
錠剤取出機構における２つのカムの回転動作のタイミング等は、錠剤位置検出機構の検出部からの信号に基づいて定めることができる。具体的には、検出された錠剤収容部の位置に合わせて内側押圧体と外側押圧体を動作させることができる。
錠剤取出ユニット１は、錠剤収容部の押圧をするまえに、押圧される錠剤収容部の長さを検出する検出機構１７をさらに有している。
錠剤供給装置１０は、検出した錠剤収容部の長さに基づいて所定の距離を算出する算出手段をさらに有している。
検出機構１７は、押圧される錠剤収容部の長さを検出するとともに押圧される錠剤収容部の位置をさらに検知する。
錠剤供給装置１０は、検知された錠剤収容部の位置に基づいて、押圧される位置までの搬送距離を算出する算出手段をさらに有する。
搬送機構３９は、搬送距離により載置台上の錠剤収容部が押圧される位置まで錠剤シートを搬送する。
搬送機構３９は、所定の距離だけ前方または後方に錠剤シートを搬送する。
図５を説明する。
図５は、錠剤供給装置１０の内部構造を示す図である。
尚、錠剤供給装置１０を背面側から見た図である。
【００３２】
２０４は、光学センサ（ビームセンサ）であり、落下物を検知するものである。除包された錠剤が排出ホッパ（導入シュート）内を落下する際、除包された錠剤がビームセンサ上を通過し、ビームセンサを遮光する。このビームセンサが遮光された状態をＯＮ状態とし、遮光されていない状態をＯＦＦ状態とする。このＯＮ／ＯＦＦ状態を用いて落下物の判定を行っている。
錠剤落下検知機構２０４は、光学センサと落下錠剤カウンタとを有する。
錠剤供給装置１０は、押圧により錠剤収容部から錠剤が取り出されたかいなかを判定するべく、取り出された錠剤を検知する検知機構２０４を有している。
錠剤供給装置１０は、錠剤収容部から取り出された錠剤の個数を計数（カウント）するべく、取り出された錠剤を検知する検知機構２０４を有している。
【００３３】
錠剤供給装置１０は、検知機構２０４が、所定の個数を超えた取り出された錠剤の個数を計数した場合には、薬剤包装装置５にエラー処理を実行させるべく要求するエラー処理要求手段を有する。
薬剤包装装置５にエラー処理を実行させるべく要求するエラー処理要求工程。
錠剤供給装置１０は、押出し機構が押圧動作中であるかいなかを判断する判断手段をさらに有する。
【００３４】
検知機構２０４は、判断手段により押圧動作中であると判断されている場合には、錠剤収容部から取り出された錠剤の個数を計数することで、押圧動作による異物の混入を検知する。
検知機構２０４は、判断手段により押圧動作中であると判断されている場合には、所定の個数を少なくとも１に設定する。
【００３５】
検知機構２０４は、判断手段により押圧動作中ではないと判断されている場合には、錠剤収容部から取り出された錠剤の個数を計数することで、押圧動作によらない取出しミスを検知する。
検知機構２０４は、判断手段により押圧動作中ではないと判断されている場合には、所定の個数を０に設定することを特徴とする。
【００３６】
押出し機構は、取り出された錠剤が検知されない場合には錠剤収容部の押圧を継続（リトライ）し、取り出された錠剤が検知された場合には錠剤収容部の押圧を継続（リトライ）しない。
４０１は、錠剤導入路である。錠剤シートから取り出され落下した錠剤を導入シュート２４から第１集積ホッパに中継する。
図６を説明する。
図６は、錠剤供給ユニット４００の内部構造を示す図である。
４０２は第１集積ホッパである。錠剤シートから取り出され落下した錠剤を集積する。
５０１は第２集積ホッパである。第１集積ホッパで集積された錠剤をさらに集積する。
５０２は第１の送り出し機構である。第２集積ホッパで集積された錠剤を第３の集積ホッパに移動させる。
５０３は第３集積ホッパである。送り出された錠剤を集積する。
５０４は第２の送り出し機構である。第３集積ホッパで集積された錠剤をメインホッパに移動させる。
５０５はメインホッパである。送り出された錠剤を集積し、包装シート（分包紙）の中に集積した錠剤を投入する。
図７を説明する。
図７は、薬剤包装ユニット７０１の内部構造を示す図である。
７０２は包装シートが連なるロール紙を包装機構に送り出すロール紙送出機構である。
７０３は加熱溶着により、包装シートの中に投入された錠剤を包装シートの中に封入する（包装機構）。
７０４は加熱溶着により、包装シートの中に投入された錠剤を包装シートの中に封入する（包装機構）。
【００３７】
包装機構は、シート錠剤供給機構または手撒き錠剤供給機構９０１の少なくとも１つから供給された１包に包装される数の錠剤を１包毎の包装シートに包装する。
７０５は、連なるロール紙を１包毎の包装シートに分断するための分断用ミシン目を包装シートに形成する。（分断機構）
７０６はプリンタであり、包装シートに、日付、患者データ、エラー情報を印字する（印字機構）。
薬剤包装装置５は、要求を受け付ける受付手段を有している。
薬剤包装装置５は、取り出された錠剤を個別の包装シート毎に分けて包装する包装機構７０４を有している。
薬剤包装装置５は、個別の包装シート毎の情報を印字する印字機構７０６を有している。
印字機構７０６は、受付手段が要求を受け付けた場合に、所定の個数を超えた錠剤が包装されている個別の包装シートにエラー処理にかかる情報を印字する。
エラー処理にかかる情報とは、押圧動作による異物の混入を報知する情報である。
エラー処理にかかる情報とは、押圧動作によらない取出しミスを報知する情報である。
【００３８】
薬剤包装装置５または錠剤供給装置１０のいずれか１方は、取り出された錠剤が、包装機構７０４よりに包装されるタイミングを制御する制御手段を有している。
前記印字機構が、前記包装機構により前記取り出された錠剤が包装シートに包装されるまえに印字する錠剤供給システム。
図８を説明する。
図８は、薬剤包装ユニット７０１の内部構造を示す図である。
８０１は隣り合う一包化された包装シートの境界部分に形成された分断用ミシン目である。
８０２は一包化された包装シートである。エラー処理が発生した包装シートにはエラー情報の内容が印字（印刷）されている。
５０は一包化された錠剤である。
図９を説明する。
次に図９を用いて薬局に在庫されている錠剤シート５１について説明する。
図９は新品の錠剤シートの一例である。
１４１１は未使用（錠剤収容部が全く欠損していない）の錠剤シートである。
１４１２は錠剤シート５１に施されている切り取り用スリットである。
１４１３は錠剤収容部５２がない錠剤シート５１の耳（端部）の部分であり、切り取り用スリットで分離することができる。
図１０を説明する。
図１０は端数シートの一例であり、１５０１は錠剤が６錠残っている（つまり１または複数の錠剤収容部が欠損している）。
これを新品の錠剤シートの幅だけを維持している端数シートと呼ぶ。
端数の残し方は薬局により様々で、１５０１のように、横方向（幅方向）に端数を残す場合もある。
ここでは、錠剤収容部５２がシートの幅方向に２列に並んでいるシートを例に説明する。
【００３９】
錠剤収容部５２がシートの幅方向に２列に並んでいる大抵の錠剤シート５１は、１シートに錠剤収容部５２が１０カ所ある物か、１シートに錠剤収容部５２が１４カ所ある物がある。つまり１シート１０錠入りシートか１４錠入りのシートである。そして、１シート１０錠入りシートでまだ１０錠残っている物、１シート１４錠入りシートでまだ１４錠残っている物を、以後、便宜的に未使用シート１４１１と呼ぶ。
【００４０】
しかし、薬局の在庫には、未使用シートの他に、１シートに２錠、又は３錠、４錠・・・・１３錠と端数で残っているシートもある。これらを以後、便宜的に端数シート１５０１と呼ぶこととする。
【００４１】
一例であるが、ある患者に分包機を使って、一包化で１４錠処方する時、該当薬が１シート１０錠入りシートである場合は、１０錠は１シート全てを使って処方し、残り４錠は未使用シートから４錠分を取出して処方する場合が多い。その結果、この処方後には、６錠残った（空の錠剤収容部５２の部分が薬剤師により切り取られた）端数シート１５０１が発生する。
大抵の錠剤シート５１は横手方向にスリット１４１２が入っている場合が多い。
【００４２】
薬局では、端数シートが発生した場合、錠剤シート５１の錠剤収容部５２に錠剤が入っていない部分をこのスリットで折り取るか、はさみ等で切り取って、錠剤収容部５２に錠剤が残っている部分だけを残して在庫している場合が多い。
図１１を説明する。
図１１は端数シートの一例であり、１６０１は錠剤が５錠残っている（つまり１または複数の錠剤収容部が欠損している）。
これを新品の錠剤シートの長さだけを維持している端数シートと呼ぶ。
端数の残し方は薬局により様々で、１６０１のように縦方向（長さ方向）に端数を残す場合もある。
図１２を説明する。
図１２も端数シートの別の一例である。１７０１のように、一部が２列で一部が単列で凸型の場合もある。
図１３を説明する。
図１３は端数シートアタッチメント１９１１の外観図である。
端数シートアタッチメント１９１１は図１６から図２０に示したように１または複数の錠剤収容部が欠損している錠剤シートに取り付けるための部品である。
【００４３】
端数シートアタッチメント１９１１は図１０から図１２に示したように１または複数の錠剤収容部が欠損している錠剤シートの表面積を拡張させ、錠剤シート搬送装置において欠損している錠剤シートを適正搬送させる面積補充部を備えている。
図１３に示すように、端数シートアタッチメント１９１１の第１拡張部（I字部）基本的な長さは８０ｍｍである。
【００４４】
理由は、錠剤ユニットの図２３に示したように２つの下部ローラ３９の間の距離は７０ｍｍであり、マージンを考慮して８０ｍｍであれば十分搬送出来るからである。
【００４５】
よって、錠剤ユニットの図２３のローラ間の距離が７０ｍｍの場合には、最小寸法は７０ｍｍ以上であればよく、端数シートアタッチメント１９１１の長さを利用して適正搬送可能な長さまで端数シートを復元することができる。
【００４６】
また、端数シートアタッチメント１９１１の基本的な長さを１３０ｍｍにしてもよい、長さ１３０ｍｍを超える新品の錠剤シートはほぼ販売されていないので、最大寸法が１３０ｍｍあれば大部分の錠剤シートの長さを網羅出来る。
【００４７】
また、新品の錠剤シートの長さが８０ｍｍであった場合には、端数シートアタッチメント１９１１の寸法は８０ｍｍ以上であればよく、端数シートアタッチメント１９１１の長さを利用して錠剤収容部が欠損していない錠剤シートの長さまで端数シートを復元することができる。  図１３に示すように、端数シートアタッチメント１９１１の第２拡張部（Ｔ字部）の基本的な幅は２８ｍｍである。このサイズであれば、錠剤シートを取り付けてすぐに使用可能となる。
図１４を説明する。
【００４８】
図１４は端数シートアタッチメント１９１１を開いた別の一例の図であり、図１７はその端数シートアタッチメント１９１１に縦型の端数シート１６０１を取付けた図である。
端数シートアタッチメント１９１１には４枚の両面テープ２１０１が備えられている。
つまり面積補充部の表面には、欠損している錠剤シートを接着するための接着部（両面テープ）がある。
図１５を説明する。
図１５は端数シートアタッチメント１９１１を開いた図である。
２１０１は端数シート固定用の両面テープである。
２１０２は両面テープの剥離紙折り返し部である。
【００４９】
この端数シートアタッチメント１９１１を開くと２枚の両面テープ２１０１が備えられており、この両面テープ２１０１の剥離紙（表面カバー紙）を剥がせば、端数シート１５０１を簡単に接着できる構造となっている。また、この両面テープ２１０１の端には剥離部折り返し２１０２が用意されており、使用者が簡単に剥離紙を剥がせるようになっている。この剥離紙折り返し部は無くても構わない。
【００５０】
この２枚の両面テープ２１０１は一度に２枚（全数枚）使用しなくても良く、どちらか１枚だけでも良い。その場合は、１枚の両面テープ２１０１を使用した後に、再度、使用していない両面テープ２１０１を使用することにより、この端数シートアタッチメント１９１１を２度使用することを可能とする。
図１６を説明する。
【００５１】
図１６のように、端数シートアタッチメント１９０１は２枚の面積補充部の両面テープを互いに接着させて、錠剤シートの両面から挟んで使用することが望ましい。
第１拡張部２００１を錠剤収容部が配列していない位置に取り付けることが望ましく、本実施例では２つの錠剤収容部の間に第１拡張部２００１がある。
また図１６のように２枚の面積補充部がバラバラにならないように２枚の面積補充部の一端が連結していることが望ましい。
２００１はシート搬送時、本実施例では上部ローラ１８０１と接する部分であるが、第１拡張部としての役割をする。
２００２はシート搬送時、本実施例では下部ローラ３９と接する部分であるが、第２拡張部としての役割をする。
【００５２】
図１６のように端数シート１５０１を端数シートアタッチメント１９０１に装着することによって、シート長さが未使用シート１４１１の長さ同等もしくはそれ以上となり、ローラ間距離（図２３）よりシート長さが短いという課題が解決出来る。これまで搬送出来なかった未使用シート１５０１を搬送出来るようになって、未使用シート１５０１搬送時の人為的補助も必要なくなり、分包作業が効率良く行えるようになる。
【００５３】
この端数シートアタッチメント１９１１は、Ｔ型で二つ折り（2枚の連結）であることを特徴とする。Ｔ型にすることにより端数シート１５０１をこの端数シートアタッチメント１９１１に取付ける際、端数シート１５０１の錠剤収容部５２を避けて（錠剤収容部５２から待避させて）とりつけることを可能とし、二つ折りにすることで端数シート１５０１のホールド性を増加させることを可能させた。
【００５４】
後述するが、端数シートアタッチメント１９１１の内側には両面テープ２１０１が備えられ、端数シート１５０１をその両面テープ２１０１で接着すればよく、必ずしも二つ折り（2枚の連結）でなくても使用できる。
【００５５】
また、端数シートアタッチメント１９１１の材質は錠剤取出しユニット１内の搬送過程を確実にするために、錠剤シート同様のポリ塩化ビニル、ポリプロプレンが望ましい。しかし、その他ポリカーボネイド、ポリエチレンテレフタレート等のプラスチックでも良い。
【００５６】
また、端数シートアタッチメント１９１１の材料の厚みは、同じく錠剤取出しユニット１内の搬送過程を確実にするために、錠剤シート同様の０．１ｍｍ〜０．８ｍｍが望ましい。
図１６ではＴ字部の幅は取り付けられている端数シート１５０１の幅よりも狭いが、Ｔ字部の幅を決める理由としての要素は、
【００５７】
例えば、錠剤取出ユニットにおいて搬送可能な新品の錠剤シート１４１１の幅が３０ｍｍ（最小）から６５ｍｍ（最大）の範囲で設計されている場合には、Ｔ字部の幅寸法は搬送可能な新品の錠剤シートの最小幅と同じ３０ｍｍであるのが一番自然であるが、幅が３０ｍｍの端数シート１５０１にアタッチメントを取り付ける時に、少しだけ（例えば１ｍｍ程度）端数シート１５０１がはみ出すように取り付けてしまうと、幅の合計が３１ｍｍになってしまう。
【００５８】
このはみ出しを防止するために、、取り付け時の余裕（ズレ）を見て錠剤取出ユニットで搬送可能な最小幅寸法から−２ｍｍ（片側１ｍｍずつ）することで、Ｔ字部の幅を２８ｍｍとした。
【００５９】
つまり、アタッチメントの幅の寸法がもし新品の錠剤シートの幅より広くなってしまうと、新品のシート幅に合わせてはみ出した部分を手作業でカットしなければならないので錠剤取出ユニットが搬送可能な最小幅を超えない（以下である）ないことが重要である。
【００６０】
端数シートアタッチメント１９１１の幅は錠剤収容部が欠損していない錠剤シートの幅を端数シートを復元するが、さらに錠剤取出ユニットが搬送可能な最小幅を超えない（以下である）ないことが重要である。
図１７を説明する。
【００６１】
図１７のように縦型の端数シート１６０１を取付ける場合は左右どちらかの両面テープ２１０１のみを使用することによって、一度使用した後に再度、別の縦型の端数シート１６０１を右側の両面テープ２１０１を使用することによって、２度使用することが可能となる。
または、４枚の両面テープ２１０１を１枚ずつ使用することにより、この端数シートアタッチメント１９１１を４度使用することも可能となる。
図１８、図１９、図２０を説明する。
図１８、図１９、図２０は様々な端数シートを端数シートアタッチメントへ取り付けた例である。
２７０１は単錠の端数シートである。
図２１を説明する。
図２１は、錠剤取出ユニット１の内部構造が分かるように錠剤取出ユニット１を正面上方から見た図である。未使用シート１４１１を搬送中の図である。
【００６２】
錠剤シート上面にある上部ローラ１８０１の幅は、２列の錠剤収容部５２の間に相当する為、僅かしかない。これは、上部ローラが錠剤収容部５２に当接しないためである。
図２２を説明する。
【００６３】
図２２は、錠剤取出ユニット１の内部構造が分かるように錠剤取出ユニット１を正面上方から見た図で、図１６のような縦型の端数シート１６０１を搬送中の図である
【００６４】
縦型の端数シート１６０１のように幅が未使用シート１４１１の半分になると、搬送時の上部ローラ１８０１から加えられる力が半分になり、縦型の端数シート１６０１の搬送能力が落ちる。その結果、縦型の端数シート１６０１が錠剤取出ユニット１内で詰りが発生する場合がある。その場合、使用者は詰りを解消する作業が必要になり、また、詰り解消の為に取り出した端数シートを錠剤取出ユニット１に再セットしなければならず、分包作業の効率が落ちる。
【００６５】
または、錠剤シートの搬送が不安定になり、錠剤シートが正確に除包位置に搬送されないが為に錠剤シートの錠剤が正しく除包されず、分包も正しく行われないこともある。よって、錠剤シートを錠剤取出ユニット１に再セットし、正しく分包出来るようやり直ししなければならず、分包作業の効率が落ちる。
【００６６】
しかし、図１７のように縦型の端数シート１６０１を端数シートアタッチメント１９０１に装着することによって、上部ローラが力を加える部分を確保できるようになる。上部ローラと接する部分の幅は、上部ローラの幅に相当する。
【００６７】
つまり、縦型の端数シート１６０１は、搬送時の上部ローラ１８０１から加えられる力が半分になり、錠剤取出ユニット１の落ちていたシート搬送能力が、端数シートアタッチメントにより、搬送能力を回復させ、縦型の端数シート１６０１を安定的に除包部へ搬送させることが可能となる。その結果、正確に錠剤シートの錠剤を正しく除包させ、効率的に分包作業を行えるようになる。
【００６８】
つまり、少なくとも錠剤シート搬送装置（錠剤取出ユニット）において適正搬送可能な幅（例えばローラ幅）まで、細くなった錠剤シート１６０１の幅を復元するために、錠剤シート搬送装置において錠剤シートが搬送される幅方向にダミーの第２拡張部２００２を図１７のように取り付けることで表面積を拡張させている。
【００６９】
同様に、少なくとも未使用の錠剤シート１４１１の幅まで、細くなった錠剤シート１６０１の幅を復元するために、錠剤シート搬送装置において錠剤シートが搬送される幅方向にダミーの第２拡張部２００２を図１７のように取り付けることで表面積を拡張させてもよい。これにより模擬的に未使用の錠剤シートの幅を復元できる。
図２３を説明する。
図２３は、錠剤取出ユニット１の内部構造（断面）を示す図である。
１８０１は錠剤シートを搬送するローラで、錠剤シートの上面に位置するローラである。
図２３は、錠剤シートの投入口２０３に端数シートをセットし、端数シートを除包位置（錠剤の取出位置）まで搬送を行う際の図である。
【００７０】
錠剤シート５１の搬送は未使用シート１４１１、端数シート１５０１に関わらず、下部ローラ３９と上部ローラ１８０１で行う為、端数シートの長さがローラ間の距離より短い場合は搬送出来ない。また同様に未使用シート１４１１においてもシート長さがローラ間の距離より短い場合は搬送出来ない。
なぜなら錠剤シート５１は、まず前方から１番目の下部ローラ３９により進行方向への力を加えられ、シート進行方向に搬送される。
【００７１】
錠剤シート５１の先端が前方から２番目の下部ローラ３９まで到達すると、２番目の下部ローラ３９により進行方向への力が加えられ、錠剤シート５１はシート進行方向に搬送される。よって、シートの長さがローラ距離より短い場合は、前方から１番目の下部ローラ３９によってシートが送り出されても、シートの先端が前方から２番目の下部ローラ３９に届かないからである。
【００７２】
つまり、少なくとも錠剤シート搬送装置（錠剤取出ユニット）において適正搬送可能な長さ（例えばローラ距離）まで、短くなった錠剤シート１５０１の長さを復元するために、錠剤シート搬送装置において錠剤シートが搬送される進行方向にダミーの第１拡張部２００１を図１６のように取り付けることで表面積を拡張させている。
【００７３】
同様のことは前方１番目の上部ローラ１８０１と前方から２番目の上部ローラ１８０１、前方２番目の上部ローラ１８０１と前方から３番目の上部ローラ１８０１にもいえる。
【００７４】
その結果、使用者はシートの長さが短い図１５のような端数シート１５０１を、錠剤取出しユニット１を使って錠剤を除包させ、分包につなげる場合、端数シート１５０１をローラでうまく搬送出来るよう指で押してあげる等、人為的な補助を加えなければならず、手間であり、分包作業の効率が落ちる。効率が落ちるからといって、端数シート１５０１を使用しなければ、在庫が増えてしまう。
【００７５】
同様に、少なくとも未使用の錠剤シート１４１１の長さまで、短くなった錠剤シート１５０１の長さを復元するために、錠剤シート搬送装置において錠剤シートが搬送される進行方向にダミーの第１拡張部２００１を図１６のように取り付けることで表面積を拡張させてもよい。これにより模擬的に未使用の錠剤シートの長さを復元できる。
図２４を説明する。
部品１９０１の形状が、Ｉ字型ではなく、Ｔ字型であるの理由を説明する。
なおL字型であってもよい。
ここでＩ字型とは、第１拡張部だけ、あるいは第２拡張部だけで面積補充部が構成された端数シートアタッチメントである。
ここでT字型およびL字型とは、第１拡張部および第２拡張部の両方を含んで面積補充部が構成された端数シートアタッチメントである。
Ｔの部分（第２拡張部）が錠剤シートの先端にある耳部分１４１３の代用とするためである。
図２４は錠剤取出しユニットの断面図で、錠剤シートから錠剤を取出す錠剤取出し部の構造の詳細図である。
錠剤シートは載置台に搬送され、そこで内部押圧体に錠剤収容部を押圧されることにより、錠剤が取り出される。
【００７６】
図で分かるように錠剤シート進行方向前方の載置台の導入シュート側の面は斜面になっている。これは、錠剤が取出された後の錠剤シートの錠剤収容部裏面は、当然、錠剤シートの裏紙（銀紙）が破れて捲れているし、内部押圧体の押圧により錠剤収容部自体が裏面に飛び出したりしているため、シート搬送時にこれらが引っ掛かるのを防ぐためである。
【００７７】
未使用シートの１列目の錠剤シートを取出す場合、錠剤シートの耳部と取出そうとする錠剤の後方のシート部分を載置台で支え、上方より内部押圧体の押圧により錠剤を取出す。
【００７８】
もしこの時、耳部が無ければ、耳の無い錠剤シートは前方を支えられる部分が無く、錠剤の後方のシート部分のみが載置台に支えられている状態で、上方より内部押圧体により押圧されるので、錠剤シートは導入シュート方向に反りかえり、スリットにより折れてしまう場合もある。
【００７９】
よって、耳部の無い端数シートから錠剤ユニットにて錠剤を取出すためには、端数シートを端数シートアタッチメントに取付けて、新品シートの耳部に相当する部分を付加する必要がある。そのため、本端数シートアタッチメントは、端数シートに新品シートの耳部相当を付加するために、Ｔ字形状となっている。
さらに、このためには端数シートアタッチメントを取付けて搬送させる場合には、必ずＴの部分側（第２拡張部）を先頭にして搬送させなければならない。
このように第２拡張部が、欠損している錠剤シートの錠剤収容部に連結し、錠剤収容部がない端部１４１３の代替として機能している。
【符号の説明】
【００８０】
１        錠剤取出ユニット（錠剤シート搬送装置）
５        薬剤包装装置
１０      錠剤供給装置
１７      検出機構
１８      錠剤シートが載置される載置台  
２４      導入シュート  
３０      排出口
３９      下部ローラ
５０      錠剤
５１      錠剤シート（ＰＴＰシート）
５２      錠剤収容部
８３      内部押圧体
８４      外部押圧体
９３      第１昇降体  
９４      カム
９８      第１昇降体
９９      カム
１０３    散薬投入部
２０３    ＰＴＰシート投入口
２０４    光学センサ
４００    錠剤供給ユニット  
４０１    錠剤導入路
５０５    メインホッパ
７０１    包装装置内の包装ユニット
７０２    ロール紙送出機構
７０３    包装機構
７０４    包装機構
７０５    分断機構
７０６    プリンタ
８０１    分断用のミシン目
８０２    １つの包み
８０３    １つの包みに分包された錠剤（薬剤）
９０１    カバー
１２０１  錠剤の移動経路
１４０１  第１の傾斜部
１４１１  新品の錠剤シート
１４１２  スリット
１４１３  端部
１５０１  横型の端数シート
１６０１  縦型の端数シート
１７０１  凸型の端数シート
１８０１  上部ローラ
１９０１  端数シートアタッチメント（部品）
２００１  第１拡張部（面積補充部）
２００２  第２拡張部（面積補充部）
２１０１  両面テープ（接着部）
２１０２  剥離紙折り返し
２７０１  単錠の端数シート
【図１】
2014073160.tif 000003
【図２】
2014073160.tif 000004
【図３】
2014073160.tif 000005
【図４】
2014073160.tif 000006
【図５】
2014073160.tif 000007
【図６】
2014073160.tif 000008
【図７】
2014073160.tif 000009
【図８】
2014073160.tif 000010
【図９】
2014073160.tif 000011
【図１０】
2014073160.tif 000012
【図１１】
2014073160.tif 000013
【図１２】
2014073160.tif 000014
【図１３】
2014073160.tif 000015
【図１４】
2014073160.tif 000016
【図１５】
2014073160.tif 000017
【図１６】
2014073160.tif 000018
【図１７】
2014073160.tif 000019
【図１８】
2014073160.tif 000020
【図１９】
2014073160.tif 000021
【図２０】
2014073160.tif 000022
【図２１】
2014073160.tif 000023
【図２２】
2014073160.tif 000024
【図２３】
2014073160.tif 000025
【図２４】
2014073160.tif 000026